(57)【特許請求の範囲】
【請求項１】
原稿画像を読み取る画像読取り手段と、
前記画像読取り手段により読み取った画像データを蓄積する画像データ蓄積手段と、
送信先が１つまたは複数登録される送信先記憶手段と、
複数の通信回線を持つデータ通信手段と、
前記送信先記憶手段に登録された送信先が複数ある場合に、前記送信先への送信に際して、単位時間あたりの通信費が低額の送信先を検索する低通信費送信先検索手段と、
前記送信先記憶手段に登録された送信先が複数ある場合には、前記画像読取り手段による前記原稿画像の読取りの開始のタイミングで、前記データ通信手段に、前記低通信費送信先検索手段で検索した通信費が低額の送信先を第１番目の送信先として画像データの送信を開始させる通信制御手段と、を備えたことを特徴とするデータ通信装置。
【請求項２】
前記通信制御手段は、前記送信先記憶手段に登録された送信先が複数ある場合には、前記第１番目の送信先への前記画像データの送信と同時または当該送信が終了する前、前記第１番目の送信先への前記画像データの送信が終了した後、の何れかのタイミングで、前記データ通信手段に、前記画像データ蓄積手段に蓄積された前記画像データの第２番目以降の送信先への送信を開始させることを特徴とする請求項１に記載のデータ通信装置。
【請求項３】
前記通信制御手段は、前記送信先記憶手段に登録された送信先が複数ある場合には、前記画像読取り手段による読取りが終了した後、前記画像読取り手段による第１ページ目または第２ページ以降の所定ページ目の読取りが終了した後、のタイミング、またはユーザが指定したタイミングで、前記データ通信手段に、前記画像データ蓄積手段に蓄積された前記画像データの第２番目以降の送信先への送信を開始させることを特徴とする請求項１に記載のデータ通信装置。
【請求項４】
前記通信制御手段が、前記データ通信手段に前記第２番目以降の送信先への送信を開始させるタイミングを、前記第１番目の送信先への前記画像データの送信と同時または当該送信が終了する前、前記第１番目の送信先への前記画像データの送信が終了した後、前記画像読取り手段による読取りが終了した後、前記画像読取り手段による第１ページ目または第２ページ以降の所定ページ目の読取りが終了した後、の何れにするかを選択する送信モード選択手段を含むことを特徴とする請求項１に記載のデータ通信装置。
【請求項５】
前記送信先に応じた局番を記憶する局番記憶手段を有し、前記低通信費送信先検索手段は、前記通信費が低額の送信先を前記局番に基づき検索することを特徴とする請求項１に記載のデータ通信装置。
【請求項６】
前記送信先に応じた単時間あたりの通信料金を記憶する通信料金テーブルを有し、前記低通信費送信先検索手段は、前記通信費が低額の送信先を前記単位時間あたりの通信料金に基づき検索することを特徴とする請求項１に記載のデータ通信装置。
【請求項７】
前記低通信費送信先検索手段は、前記通信費が低額の送信先を、送信先が電話番号による送信先か、メールアドレスによる送信先かに基づき検索することを特徴とする請求項１に記載のデータ通信装置。
【請求項８】
送信先記憶手段に登録された送信先が複数ある場合に、それら複数の送信先への送信に際して、単位時間あたりの通信費が低額の送信先を検索し、画像読取り手段による原稿画像の読取り開始のタイミングで、検索した通信費が低額の送信先を第１番目の送信先として画像データの送信を開始させることを特徴とするデータ通信方法。
【発明の詳細な説明】
【０００１】
【発明の属する技術分野】
本発明は、同報送信や同報転送を行う場合に送信時間を短縮することができ、また、原稿ジャム等が生じても通信費の損失を低減することができる複数回線を備えたファクシミリ装置、インターネットファクシミリ装置等のデータ通信装置に関する。
【０００２】
【従来の技術】
近時、ファクシミリ装置、インターネットファクシミリ装置（以下、これらを「ファクシミリ装置」と言う）等のデータ通信装置には、オプション設定で一装置内に複数回線を収容できるものや、標準仕様で複数回線を収容できるものが増えつつある。たとえば、標準仕様でＧ３回線の通信回路が搭載されたファクシミリ装置に、ＩＳＤＮＧ４ボード（２回線）、Ｇ３ボード、ＬＡＮボード等の通信ボードを追加することができる。
【０００３】
この種の通信ボードを追加して回線を増設したファクシミリ装置（以下、「多重回線ファクシミリ装置」と言う）では、１回線しか持たないファクシミリ装置（以下、「単回線ファクシミリ装置」と言う）よりも、同一送信データの送信先複数指定（以下、「同報複数送信先指定」と言う）や、メモリ転送に際しての同一送信データの送信先複数指定（以下、「同報複数転送先指定」と言う）による送信処理を短時間で行うことができる。
【０００４】
同報複数送信先指定を、多重回線ファクシミリ装置で行う場合に、オペレータによる送信先情報（電話番号やネットワークアドレス）の入力順に、送信先のファクシミリ装置を順次呼び出す順次同報送信方式を採用されることもあるが、通常は、空き回線がある場合には、同時に同報送信を行う同時同報送信方式が採用される。
【０００５】
ところで、通常、ファクシミリ装置にはメモリ送信機能が搭載されている。メモリ送信機能は、原稿を全ページ読み取り、全ページ分の画像データを画像データ用メモリに１ファイルとして蓄積した後に、送信先のファクシミリ装置を呼び出すことで、原稿の早期回収ができる等の利点がある。
【０００６】
また、原稿読取り開始と送信先のファクシミリ装置の呼び出しを同時に行い、送信先のファクシミリ装置が呼び出されたときは順次画像データ用メモリに既に蓄積されたデータから順に送信することで、上記の原稿の早期回収等に加えて、送信開始までの待ち時間がなくなるといった利点がある。以下、この送信を「クイック送信」と言い、当該送信機能を「クイック送信機能」と言う。
【０００７】
単回線ファクシミリ装置においてクイック送信機能を用いて同報送信を行う場合、第１番目の送信先についてはクイック送信を行い、第２番目以降の送信先については、原稿の全ページ分の画像データを画像データ用メモリに蓄積した後に、送信先のファクシミリ装置を、回線に空きがある場合には複数同時に呼び出している。
【０００８】
これに対し、多重回線ファクシミリ装置において送信先単一指定（以下、「単一送信先指定」と言う）がなされているときは、クイック送信を行い、同報複数送信先指定の場合にはクイック送信は行わずに、原稿を全ページ読み取り、全ページ分の画像データを画像データ用メモリに１ファイルとして蓄積した後に、送信先のファクシミリ装置を順次呼び出している。
【０００９】
同報複数転送先指定を、多重回線ファクシミリ装置で行う場合に、転送元のファクシミリ装置から送られたデータを、予め指定した転送先に転送する場合には、同報複数送信先指定の場合と同様、空き回線がある場合には、同時に同報送信を行う同時同報送信方式が採用される。この場合には、多重回線ファクシミリ装置は、全ページ分のデータを、画像データ用メモリに１ファイルとして蓄積した後に、送信先のファクシミリ装置を回線に空きがある場合には複数同時に呼び出している。
【００１０】
【発明が解決しようとする課題】
しかし、上述したように多重回線ファクシミリ装置で同報複数送信先指定を行う場合には、原稿を全ページ読取り、全ページ分の画像データが画像データ用メモリに１ファイルとして蓄積されるまで、画像データの送信ができず、送信開始までに時間がかかるという問題がある。
【００１１】
また、多重回線ファクシミリ装置で同報複数転送先指定を行う場合にも、全データが画像データ用メモリに１ファイルとして蓄積されるまで、画像データの送信ができず、送信開始までに時間がかかるという問題がある。
【００１３】
本発明の目的は、同報送信や同報転送を行う場合に、送信時間や転送時間を短縮することができ、かつペーパジャム等の送信不能が発生した場合に適正な制御が可能なデータ通信装置を提供することにある。
【００１４】
本発明の他の目的は、同時同報送信を行う場合に、ペーパジャム等の送信不能が発生した場合であっても、通話料金の損失を最小限に抑えることができるデータ通信装置を提供することにある。
【００１５】
【課題を解決するための手段】
本願発明のデータ通信装置は、原稿画像を読み取る画像読取り手段と、前記画像読取り手段により読み取った画像データを蓄積する画像データ蓄積手段と、送信先が１つまたは複数登録される送信先記憶手段と、複数の通信回線を持つデータ通信手段と、前記送信先記憶手段に登録された送信先が複数ある場合に、前記送信先への送信に際して、単位時間あたりの通信費が低額の送信先を検索する低通信費送信先検索手段と、前記送信先記憶手段に登録された送信先が複数ある場合には、前記画像読取り手段による前記原稿画像の読取りの開始のタイミングで、前記データ通信手段に、前記低通信費送信先検索手段で検索した通信費が低額の送信先を第１番目の送信先として画像データの送信を開始させる通信制御手段と、を備えたことを特徴とする。
【００１６】
また、本願発明のデータ通信装置は、データを受信および送信する複数の通信回線を持つデータ通信手段と、前記データ通信手段により受信したデータを蓄積する画像データ蓄積手段と、転送先が１つまたは複数登録される転送先記憶手段と、前記転送先記憶手段に登録された転送先が複数ある場合に、前記転送先への送信に際して、単位時間あたりの通信費が低額の転送先を検索する低通信費転送先検索手段と、前記転送先記憶手段に登録された転送先が複数ある場合には、前記データ通信手段による前記データの受信の開始のタイミングで、前記通信費が低額の送信先を第１番目の転送先として受信したデータの転送制御を開始させ、または、前記データ通信手段による前記データの受信の終了後のタイミングで、受信したデータを前記通信費が低額の送信先を第１番目の転送先として転送制御を開始させる通信制御手段と、を備えたことを特徴とする。
【００１７】
本願発明のデータ通信方法は、送信先記憶手段に登録された送信先が複数ある場合に、それら複数の送信先への送信に際して、単位時間あたりの通信費が低額の送信先を検索し、画像読取り手段による原稿画像の読取り開始のタイミングで、検索した通信費が低額の送信先を第１番目の送信先として画像データの送信を開始させることを特徴とする。
【００２２】
さらに、本発明のデータ通信装置は、送信先に応じた単時間あたりの通信料金を記憶する通信料金テーブルを有することができ、前記低通信費送信先検索手段は、前記通信費が低額の送信先を前記単位時間あたりの通信料金に基づき検索することができる。さらに、前記低通信費送信先検索手段が、前記通信費が低額の送信先を、送信先が電話番号による送信先か、メールアドレスによる送信先かに基づき検索するようにもできる。
本発明では、画像読取り手段による読取りが終了した後、画像読取り手段による第１ページ目または第２ページ以降の所定ページ目の読取りが終了した後のタイミングで第２番目の宛先に送信することができる。ペーパジャムは１ページ目に生じ易いので、この送信手法はペーパジャムに対して有効である。
また，特殊原稿（たとえば、厚紙や紙質が特殊なもの）を読み込む場合に、当該特殊原稿があるページまでは第２番目の宛先には送信しないようにもできる。
【００２７】
【発明の実施の形態】
以下、本発明のデータ通信装置の一構成例を示すブロック図である。図１において、ファクシミリ装置１は、画像読取り手段１１１と、画像データ蓄積手段１１２と、送信先記憶手段１１３と、転送先記憶手段１１４と、データ通信手段１１５と、通信制御手段１１６と、送信モード選択手段１１７とを含んで構成されている。また、ユーザは送信モード選択手段１１７を介して、どのような送信態様で送信するかを選択することができる。
【００２８】
本実施形態では、通信制御手段１１６は、送信先記憶手段１１３に登録された送信先が複数ある場合には、データ通信手段１１５に、
（１−１）第１番目の送信先への前記画像データの送信と同時、または当該送信が終了する前、
（１−２）第１番目の送信先への前記画像データの送信が終了した後、
（１−３）画像読取り手段１１１による読取りが終了した後、
の何れかのタイミングで、画像データ蓄積手段１１２に蓄積された画像データの第２番目以降の送信先への送信を開始させることができる。
画像データ蓄積手段１１２、転送先記憶手段１１４、通信制御手段１１６等に使用される記憶手段は、同一のメモリ等を共有したものでもよいし、これら全部または一部が別々に構成されていてもよい。
【００２９】
以下、図２を参照しつつファクシミリ装置１の、（１−１）の「第１番目の送信先への画像データの送信と同時、または当該送信が終了する前」のタイミングで送信を行う場合の動作（ステップＳ１０１〜Ｓ１１０）を説明する。
【００３０】
まず、原稿が画像読取り手段１１１にセットされ、図示しない操作部を用いて複数の送信先情報（電話番号やネットワークアドレス）Ｎ１〜Ｎｋが入力される（Ｓ１０１）。ここで、操作部の送信開始ボタンが押されると、送信開始指示が通信制御手段１１６に送られる（Ｓ１０２）。そして、画像読取り手段１１１による原稿の読取りが開始され（Ｓ１０３）、原稿画像は読み取られた順に画像データ蓄積手段１１２に蓄積される。図２では、原稿の読取り中の処理をＳ１０４で示し、読取り終了の処理をＳ１０５で示してある。
【００３１】
通信制御手段１１６は、Ｓ１０３の処理の開始と同時に、何れかの送信先に送信できる回線に空きがあるかをチェックする（Ｓ１０７）。すなわち、送信先情報が電話番号であるか、インターネットアドレス（メールアドレス）であるかにより、電話回線が空いているか、ＬＡＮ回線が空いているかをチェックする。なお、図２には示していないが、このチェック（後述する）では、たとえば、Ｎ１〜Ｎｋについて、すでに送信したか否か、またはまだ送信していないかをチェックし（ループ検索し）、まだ検索していない送信先について、対応する回線に空きがあるか否かをチェックしている（後述する図３のＳ２０６，図４のＳ３０６，図５のＳ４０７，図６のＳ５０６，図７のＳ６０６，図８のＳ７０８においても同様）。
【００３２】
所定の空き回線がない場合には回線が空くまで待機する。空き回線がある場合には、第Ｘ番目の送信先への送信を開始する（Ｓ１０８）。Ｓ１０７の処理に入る前に、初期状態として第Ｘ番目の送信先としてＸ＝１がセットされている（Ｓ１０６）。
【００３３】
通信制御手段１１６は、これらの送信開始後に、全ての送信先に送信を開始したか否かをチェックする（Ｓ１０９）。具体的には、たとえばＸとｋとの比較を行い、「Ｘ＜ｋ」のとき、すなわち全ての送信先に送信を開始していないときには、Ｘをインクリメントして（Ｓ１１０）、処理をＳ１０７に戻す。また、「Ｘ＜ｋ」でないとき、すなわち、全ての送信先に送信を開始したときには全送信の終了を待って処理を終了する（図２の「ＥＮＤ」参照）。
【００３４】
図２のフローチャートに示す処理では、原稿読取りの途中で（Ｓ１０４）で、複数の宛先に通信を行っているときに、ストップキー操作により原稿読取りを中止したい場合や、読取り中のエラー（読取り原稿のペーパジャムや画像データ蓄積手段１１２の容量不足）が生じた場合に、そのとき接続されている回線の全てがエラーとなってしまう。この場合には、通信料金が多額になってしまうことはもちろん、送信先への送信にかかる書類の廃棄要請等の手続きが必要となる。
【００３５】
このような事態が問題となるような場合には、（１−２）の「第１番目の送信先への画像データの送信が終了した後」のタイミングで送信を行うことで、上記不都合を解消できる。以下、図３のフローチャートにより、このときのファクシミリ装置１の動作（ステップＳ２０１〜Ｓ２１３）を説明する。
原稿が画像読取り手段１１１にセットされ、送信先情報Ｎ１〜Ｎｋが入力され読取りが終了するまでの処理Ｓ２０１〜Ｓ２０５は、図２の処理Ｓ１０１〜Ｓ１０５と同じである。
【００３６】
通信制御手段１１６は、原稿読取り開始処理（Ｓ２０３）と同時に、何れかの送信先に送信できる回線に空きがあるかをチェックする（Ｓ２０６）。空き回線がない場合には回線が空くまで待機する。空き回線がある場合には、第１番目の送信先への送信を行う（Ｓ２０７）。通信制御手段１１６は、データ通信手段１１５による送信が終了したか否かを監視しており（Ｓ２０８）、送信が終了したときは、残りの送信先の何れかについて、送信できる回線に空きがあるかを判チェックする（Ｓ２１０）。空き回線がない場合には回線が空くまで待機する。空き回線がある場合には、第Ｘ番目の送信先への送信を開始する（Ｓ２１１）。Ｓ２１０に移行する前に、第Ｘ番目の送信先としてＸ＝２がセットされている（Ｓ２０９）。
【００３７】
通信制御手段１１６は、送信開始後に、全ての送信先に送信を開始したか否かをチェックする（Ｓ２１２）。まだ、全ての送信先に送信を開始していないときにはＸをインクリメントして（Ｓ２１３）、処理をＳ２１０に戻す。また、全ての送信先に送信を開始したときには、送信の終了を待って処理を終了する（図３の「ＥＮＤ」参照）。
【００３８】
図３のフローチャートによる処理では、第１番目の送信先への送信が終了した時点で、同報送信を開始したが、第１番目の送信先への画像データの送信よりも、原稿の画像読取り手段１１１への読取り（画像データ蓄積手段１１２への画像データの蓄積）が早く終了する。このため、図３のフローチャートによる処理では、第２番目以降の送信先への同報送信の開始が、第１番目の送信先への送信終了後となるため、処理が遅くなる。
【００３９】
このような事態が問題となるような場合には、（１−３）の「画像読取り手段１１１による読取りが終了した後」のタイミングで送信を行う。以下、図４のフローチャートにより、このときのファクシミリ装置１の動作（ステップＳ３０１〜Ｓ３１３）を説明する。
【００４０】
原稿が画像読取り手段１１１にセットされ、送信先情報Ｎ１〜Ｎｋが入力され読取りが終了するまでの処理Ｓ３０１〜Ｓ３０５は、図２のＳ１０１〜Ｓ１０５、図３のＳ２０１〜Ｓ２０５の処理と同じである。
通信制御手段１１６は、原稿読取り開始処理（Ｓ３０３）の開始と同時に、何れかの送信先に送信できる回線に空きがあるかをチェックする（Ｓ３０６）。空き回線がない場合には回線が空くまで待機する。空き回線がある場合には、第１番目の送信先への送信を行う（Ｓ３０７）。通信制御手段１１６は、画像読取り手段１１１による原稿読取りが終了したか否かを監視しており（Ｓ３０８）、原稿読取りが終了したとき（Ｓ３０５）は、残りの送信先の何れかについて送信できる回線に空きがあるかをチェックする（Ｓ３１０）。空き回線がない場合には回線が空くまで待機する。空き回線がある場合には、第Ｘ番目の送信先への送信を開始する（Ｓ３１１）。Ｓ３１０に移行する前に、第Ｘ番目の送信先としてＸ＝２がセットされている（Ｓ３０９）。
【００４１】
通信制御手段１１６は、送信開始後に、全ての送信先に送信を開始したか否かをチェックする（Ｓ３１２）。まだ、全ての送信先に送信を開始していないときにはＸをインクリメントして（Ｓ３１３）、処理をＳ３１０に戻す。また、全ての送信先に送信を開始したときには、送信の終了を待って処理を終了する（図４の「ＥＮＤ」参照）。
【００４２】
次に、原稿の読み取りではなく、転送データの受信による送信処理を説明する。通信制御手段１１６は、転送先記憶手段１１４に登録された転送先が複数ある場合には、
（２−１）データ通信手段１１５による前記データの受信の開始とともに、受信したデータの第１番目の転送先への転送制御を開始し、
（２−２）データ通信手段１１５による前記データの受信が終了した後、当該データ通信手段により受信したデータの前記複数の転送先への転送制御を開始する、
（２−１）の場合には、
（２−１−１）第１番目の転送先への前記画像データの送信と同時、または当該送信が終了する前、
（２−１−２）第１番目の転送先への前記画像データの送信が終了した後、
または、
（２−１−３）データ通信手段１１５による受信が終了した後、
の何れかのタイミングで、画像データ蓄積手段１１２に蓄積された前記画像データを第２番目以降の転送先への送信制御を開始することができる。
【００４３】
以下、図５を参照しつつ、ファクシミリ装置１による、（２−１−１）の「第１番目の転送先への画像データの送信と同時、または当該送信が終了する前」のタイミングで送信を行う場合の動作（ステップＳ４０１〜Ｓ４１０）を説明する。
回線が接続されると（Ｓ４０１）、同報送信を行う転送先情報Ｍ１〜Ｍｋが所定のメモリ（たとえばシステムメモリ）から呼び出される（Ｓ４０２）。通信制御手段１１６は、データ通信手段１１５による画像データの受信を開始する（Ｓ４０３）。受信データは読み取られた順に画像データ蓄積手段１１２に蓄積される。図５では、データ受信中の処理をＳ４０４で示し、受信終了の処理をＳ４０５で示してある。
【００４４】
通信制御手段１１６は、Ｓ４０３の処理の実行開始と同時に、何れかの転送先に送信できる回線に空きがあるかをチェックする（Ｓ４０７）。所定の空き回線がない場合には回線が空くまで待機する。空き回線がある場合には、第Ｘ番目の転送先への送信を行う（Ｓ４０８）。Ｓ４０７の処理に入る前に、第Ｘ番目の転送先としてＸ＝１がセットされている（Ｓ４０６）。
【００４５】
通信制御手段１１６は、送信開始後に全ての転送先に送信を開始したか否かをチェックする（Ｓ４０９）。具体的には、たとえばＸとｋとの比較を行い、「Ｘ＜ｋ」のとき、すなわち全ての転送先に送信を開始していないときには、Ｘをインクリメントして（Ｓ４１０）、処理をＳ４０７に戻し、全ての転送先に転送を開始したときには全転送の終了を待って処理を終了する（図５の「ＥＮＤ」参照）。
【００４６】
図５の転送方法では、データ受信の途中で（Ｓ４０４）で、複数の転送先への送信を行っている場合に、画像データの受信エラー（たとえば、画像データの送信元による送信中断や画像データ蓄積手段１１２の容量不足）が生じたような場合には、そのとき接続されている回線の全てがエラーとなってしまう。この場合には、通信料金が多額になってしまうことはもちろん、転送先への送信にかかる書類の廃棄要請等の手続きが必要となる。
【００４７】
このような事態が問題となるような場合には、（２−１−２）の「第１番目の転送先への画像データの送信が終了した後」のタイミングで送信を行うことで、上記不都合を解消できる。以下、図６のフローチャートにより、このときのファクシミリ装置１の動作（ステップＳ５０１〜Ｓ５１３）を説明する。
回線が接続され、転送先の送信先情報Ｍ１〜Ｍｋがシステムメモリに記憶され、送信が終了するまでの処理Ｓ５０１〜Ｓ５０５は、図５のＳ４０１〜Ｓ４０５の処理と同じである。
【００４８】
通信制御手段１１６は、データ受信開始処理（Ｓ５０３）と同時に、何れかの転送先に送信できる回線に空きがあるかをチェックする（Ｓ５０６）。空き回線がない場合には回線が空くまで待機する。空き回線がある場合には、第１番目の転送先への送信を行う（Ｓ５０７）。通信制御手段１１６は、データ通信手段１１５による送信が終了したか否かを監視しており（Ｓ５０８）、送信が終了したときは、残りの送信先の何れかについて、送信できる回線に空きがあるかをチェックする（Ｓ５１０）。空き回線がない場合には回線が空くまで待機する。空き回線がある場合には、第Ｘ番目の転送先への送信を開始する（Ｓ５１１）。Ｓ５１０に移行する前に、第Ｘ番目の送信先としてＸ＝２がセットされている（Ｓ５０９）。
【００４９】
通信制御手段１１６は、第Ｘ番目の転送先への送信を開始後に、全ての転送先に送信を開始したか否かをチェックする（Ｓ５１２）。全ての転送先に送信を開始していないときにはＸをインクリメントして（Ｓ５１３）、処理をＳ５１０に戻す。また、全ての送信先に送信を開始したときには、送信の終了を待って処理を終了する（図６の「ＥＮＤ」参照）。
【００５０】
図６のフローチャートによる処理では、第１番目の転送先への送信が終了した時点で、同報送信を開始したが、第１番目の転送先への画像データの送信よりも、データ通信手段１１５による受信が早く終了する。このため、図６のフローチャートによる処理では、第２番目以降の転送先への同報送信の開始が、第１番目の送信先への送信終了後となるため、処理が遅くなる。
【００５１】
このような事態が問題となるような場合には、（２−１−３）の「データ通信手段１１５による受信が終了した後」のタイミングで送信を行う。以下、図７のフローチャートにより、このときのファクシミリ装置１の動作（ステップＳ６０１〜Ｓ６１３）を説明する。
回線が接続され、転送先の送信先情報Ｍ１〜Ｍｋがシステムメモリに記憶され、送信が終了するまでの処理Ｓ６０１〜Ｓ６０５は、図５のＳ４０１〜Ｓ４０５、図６のＳ５０１〜Ｓ５０５の処理と同じである。
【００５２】
通信制御手段１１６は、データ受信の開始（Ｓ６０３）と同時に、何れかの転送先に送信できる回線に空きがあるかをチェックする（Ｓ６０６）。空き回線がない場合には回線が空くまで待機する。空き回線がある場合には、第１番目の転送先への送信を行う（Ｓ６０７）。通信制御手段１１６は、データ通信手段１１５による受信が終了したか否かを監視しており（Ｓ６０８）、受信が終了したとき（Ｓ６０５参照）は、残りの送信先の何れかについて、送信できる回線に空きがあるかをチェックする（Ｓ６１０）。空き回線がない場合には回線が空くまで待機する。空き回線がある場合には、第Ｘ番目の転送先への送信を開始する（Ｓ６１１）。Ｓ６１０に移行する前に、第Ｘ番目の転送先としてＸ＝２がセットされている（Ｓ６０９）。
【００５３】
通信制御手段１１６は、送信開始後に、全ての送信先に送信を開始したか否かをチェックする（Ｓ６１２）。まだ、全ての転送先に送信を開始していないときにはＸをインクリメントして（Ｓ６１３）、処理をＳ６１０に戻す。また、全ての送信先に送信を開始したときには、送信の終了を待って処理を終了する（図７の「ＥＮＤ」参照）。
【００５４】
上述した図５，図６，図７のフローチャートによる処理では、データを受信しながら転送を行っている。このため、受信中にエラーが発生した場合に、転送先への送信が中断されたり、転送先にエラーページまで送信されてしまう場合がある。このような事態が問題となるような場合には、（２−２）の「データ通信手段１１５によるデータの受信が終了した後、受信したデータの複数の転送先への転送制御を開始」する処理を行う。以下、図８のフローチャートにより、このときのファクシミリ装置１の動作（ステップＳ７０１〜Ｓ７１３）を説明する。
回線が接続され、転送先の送信先情報Ｍ１〜Ｍｋがシステムメモリに記憶され、送信が終了するまでの処理処理Ｓ７０１〜Ｓ７０５は、図５のＳ４０１〜Ｓ４０５、図６のＳ５０１〜Ｓ５０５、図７のＳ６０１〜Ｓ６０５の処理と同じである。
【００５５】
通信制御手段１１６は、データ受信開始（Ｓ７０３）と同時に、データ受信が終了したか否かをチェックする（Ｓ７０６）。データ受信が終了していない場合には待機し、データ受信が終了したときは、第１番目の転送先への送信を行う（Ｓ７０６）。そして、第１番目の転送先に送信できる回線に空きがあるかをチェックする（Ｓ７０８）。空き回線がない場合には回線が空くまで待機する。空き回線がある場合には、第Ｘ番目の転送先への送信を開始する（Ｓ７０９）。Ｓ７０８に移行する前に、第Ｘ番目の転送先としてＸ＝１がセットされている（Ｓ７０７）。
【００５６】
通信制御手段１１６は、送信開始後に、全ての送信先に送信を開始したか否かをチェックする（Ｓ７１０）。まだ、全ての転送先に送信を開始していないときにはＸをインクリメントして（Ｓ７１１）、処理をＳ７０８に戻す。また、全ての送信先に送信を開始したときには、送信の終了を待って処理を終了する（図８の「ＥＮＤ」参照）。
【００５７】
以下に、上記実施形態をより詳細に説明する。
図９に示すファクシミリ装置１は、図１に示したファクシミリ装置１と実質同じである。図１では、機能的にファクシミリ装置１の構成を示したが、図９ではより具体的に示してある。
【００５８】
ファクシミリ装置１は、画像データ圧縮再生部（ＤＣＲ）２０１と、画像データメモリ２０２と、システムメモリ２０３と、ユーザインタフェース２０４（操作部２０４１および表示部２０４２からなる）と、システム制御部２０５と、データ転送用メモリ（ラインバッファ）２０６と、パターンジェネレータ２０７と、原稿画像搬送装置２０８１が付属してなる画像読取り部２０８と、給紙装置２０９１が付属してなる記録印字部２０９と、リアルタイムクロック２１０と、モデム２１１１が付属してなる第１通信制御部（ＣＣＵ）２１１と、網制御部（ＮＣＵ）２１２と、モデム２１３１が付属してなる第２通信制御部（ＣＣＵ）２１３と、ＬＡＮユニット２１４とからなる。
【００５９】
図１の画像読取り手段１１１が、図９の画像読取り部２０８に対応し、図１の画像データ蓄積手段１１２が、図９の画像データメモリ２０２に対応する。また、図１の送信先記憶手段１１３，転送先記憶手段１１４が、図９のシステムメモリ２０３に対応し、図１のデータ通信手段１１５が、図９の第１通信制御部（ＣＣＵ）２１１，網制御部（ＮＣＵ）２１２，第２通信制御部（ＣＣＵ）２１３，ＬＡＮユニット２１４からなる通信装置群に対応する。さらに、図１の通信制御手段１１６が、図９のシステム制御部２０５に対応する。
【００６０】
本発明の実施形態を以下に説明する。なお、理解を容易にするために、図９の網制御部（ＮＣＵ）２１２の２回線は使用できないものとする。
（１−１）の「第１番目の送信先への画像データの送信と同時、または当該送信が終了する前」のタイミングで送信を行う場合の動作を以下に示す。
まず、送信開始に先だって、図１０に示すフローＡの処理（Ａ０１〜Ａ０４）が実行される。原稿画像搬送装置２０８１に原稿がセットされ、操作部２０４１により複数の送信先情報Ｎ１〜Ｎｋが入力されると（Ａ０１）、入力された送信先情報は、順次システムメモリ２０３の所定の記憶領域に記憶される（Ａ０２，Ａ０３）。そして、操作部２０４１の送信開始ボタンが押されると（Ａ０４）、フローＢおよびフローＣの処理が並行して実行される。
【００６１】
フローＢ（Ｂ０１〜Ｂ０４）では、図１０に示すように、まず原稿画像搬送装置２０８１にセットされた原稿の読取りが行われる（Ｂ０１）。この読取りに先だって、システム制御部２０５は、画像読取り部２０８が使用可能であるか否かをチェックし、使用可能であるときは原稿画像搬送装置２０８１にセットされた原稿を画像読取り部２０８で読み取る。この読み取られたデータは、データ転送用メモリ２０６に１ライン単位で格納され、画像データ圧縮再生部（ＤＣＲ）２０１に転送される。画像データ圧縮再生部２０１では、複数１ラインのデータをもとに画像圧縮を行い（Ｂ０２）、画像データメモリ２０２に蓄積する（Ｂ０３）。画像データメモリ２０２への画像データの蓄積は、原稿画像搬送装置２０８１にセットされた原稿の全てについて行われる（Ｂ０４）。
【００６２】
一方、図１１に示すフローＣ（Ｃ０１〜Ｃ１０）では、まず送信先が電話番号による送信先かネットワーク上のアドレスによる送信先かをチェックするために、送信先情報（電話番号またはアドレス）をシステムメモリ２０３から読み出す（Ｃ０１）。
たとえばシステム制御部２０５は、送信先情報が電話番号か否かをチェックし（Ｃ０２）、電話番号であるとき（ファクシミリ送信のとき）は、第１通信制御部（ＣＣＵ）２１１の回線が空いているかをチェックする（Ｃ０３）。空いていないときは、第２通信制御部（ＣＣＵ）２１３の回線が空いているかをチェックする（Ｃ０４）。システム制御部２０５は、Ｃ０２において、ファクシミリ送信でないと判断したときは、ＬＡＮユニット２４の回線が空いているか否かをチェックする（Ｃ０５）。
【００６３】
システム制御部２０５は、Ｃ０４，Ｃ０５において、ＣＣＵ２１３，ＬＡＮユニット２４が空いていないと判断したときは、処理をＣ０１に戻し、同一または異なる送信先情報を読み出しＣ０２以降の処理を実行する。
システム制御部２０５は、Ｃ０３〜Ｃ０５において、回線が空いていると判断したときは、送信先情報（電話番号またはメールアドレス）をシステムメモリ２０３から読み出し（Ｃ０６）、送信先に接続する（Ｃ０７）。そして、画像データを画像データメモリ２０２から読み出して送信先への送信を開始する（Ｃ０８）。つぎに、すでに全ての送信先に送信開始をしたか否かをチェックし（Ｃ０９）、全ての送信先に送信を開始していない場合にはＣ０１に処理を戻し、全ての送信先に送信を開始しているときには、全送信先への送信終了を待って（Ｃ１０）、処理を終了する（図１１の「ＥＮＤ」参照）。なお、Ｃ１０においては、複数回線に一斉に同報送信しているので、これらの同報送信が一斉に終了するとは限らない（すなわち、送信先または回線による）ので、全ての送信を待っている。
【００６４】
（１−２）の「第１番目の送信先への画像データの送信が終了した後」のタイミングで送信を行う場合の動作を以下に示す。
まず、送信開始に先だって、前述したフローＡが実行される。Ａ０４で操作部２０４１の送信開始ボタンが押されると、前述したフローＢ、およびフローＤの処理が並行して実行される。
フローＤ（Ｄ０１〜Ｄ１４）のＤ０１〜Ｄ０５の処理は、フローＣのＣ０３〜Ｃ０５の処理と同じである。
システム制御部２０５は、Ｄ０３〜Ｄ０５において、回線が空いていると判断したときは、送信先情報をシステムメモリ２０３から読み出す（Ｄ０６）。そして、読み出した送信先が、第１番目の送信先であるか否かをチェックし（Ｄ０７）、第１番目の送信先であるときには、当該送信先に接続し（Ｄ０８）、画像データを画像データメモリ２０２から読み出し送信先に送信する（Ｄ０９）。そして、送信が終了するのを待ち（Ｄ１０）、送信が終了したときは処理をＤ０１に戻す。
【００６５】
一方、システム制御部２０５は、Ｄ０７において、システムメモリ２０２から読み出した送信先が、第１番目の送信先でないと判断したときは、当該送信先に接続し（Ｄ１１）、画像データを画像データメモリ２０２から読み出し送信先に送信開始する（Ｄ１２）。そして、すでに全ての送信先に送信開始をしたか否かをチェックし（Ｄ１３）、全ての送信先に送信を開始していない場合にはＤ０１に処理を戻し、全ての送信先に送信を開始しているときには、全送信先への送信終了を待って（Ｄ１４）処理を終了する（図１２の「ＥＮＤ」参照）。
【００６６】
（１−３）の「画像読取り部２０８による読取りが終了した後」のタイミングで転送先への送信を行う場合の動作を以下に示す。
図１３に示すように、この（１−３）における動作は、（１−２）の「第１番目の送信先への画像データの送信が終了した後」のタイミングで送信を行う場合の動作（図１２）と、Ｅ１０（図１２のＤ１０に対応）の判断を除き同一である。すなわち、図１２のＤ１０では、第１番目の送信先への画像データの送信が終了するのを待って、第２番目以降の送信先について送信を開始したが（Ｄ１１，Ｄ１２）、図１３のＥ１０では、画像読取り部２０８による読取りが終了するのを待って、第２番目以降の送信先について送信を開始している（Ｅ１１，Ｅ１２）。
【００６７】
本発明の実施形態の他の具体例を以下に説明する。なお、本例での理解を容易にするために、図９の網制御部（ＮＣＵ）２１２の１回線は受信に使用され、もう１回線は使用できないものとする。
（２−１−１）の「第１番目の転送先への画像データの送信と同時、または当該送信が終了する前」のタイミングで送信を行う場合の動作はつぎのとおりである。
まず、転送開始に先だって、以下の処理（フローＦ：Ｆ０１〜Ｆ０３）が実行される。
システム制御部２０５は、転送データの着信があったか否かを監視しており、着信があったときは（Ｆ０１）、受信を開始する（Ｆ０２）。そして、受信情報に転送情報が含まれているかをチェックし（Ｆ０３）、転送情報が含まれているときは、転送先をシステムメモリ２０３の所定の記憶領域に登録する（Ｆ０４）。Ｆ０３において転送情報が含まれていないと判断したときには、通常のデータ受信を行う（Ｆ０５）。
Ｆ０４で転送先がシステムメモリ２０３に登録されると、フローＧおよび図１４に示すフローＨ（Ｈ０１〜Ｈ１０）の処理が並行して実行される。
フローＧ（Ｇ０１，Ｇ０２）では、図１５に示すように、画像データを画像データメモリ２０２に蓄積し（Ｇ０１）、全ての転送データを受信したときは処理を終了する（Ｇ０２）。
【００６８】
一方、図１５に示したフローＨの処理は、図１０に示したフローＣにおける「送信先情報」，「送信先」が、それぞれ「転送先情報」，「転送先」となっているだけである。このため、フローＨ（Ｈ０１〜Ｈ１０）の説明は記載の重複を避けるために省略する。
【００６９】
（２−１−２）の「第１番目の転送先への画像データの送信が終了した後」のタイミングで送信を行う場合の動作はつぎのとおりである。まず、送信開始に先だって、前述したフローＦが実行される。Ｆ０４で転送先がシステムメモリ２０３に登録されると、フローＧの処理および図１６に示すフローＩ（Ｉ０１〜Ｉ１４）の処理が並行して実行される。図１５に示したフローＩは、図１１に示したフローＣ（Ｄ０１〜Ｄ１４）における「送信先情報」，「送信先」が、それぞれ「転送先情報」，「転送先」となっているだけである。このため、フローＨ（Ｈ０１〜Ｈ１０）の説明は記載の重複を避けるために省略する。
【００７０】
（２−１−３）の「第１，第２通信制御部２１１，２１３またはＬＡＮユニット２１２による受信が終了した後」のタイミングで転送先への送信を行う場合の動作はつぎのとおりである。まず、送信開始に先だって、前述したフローＦが実行される。Ｆ０４で転送先がシステムメモリ２０３に登録されると、フローＧおよび図１７に示すフローＪ（Ｊ０１〜Ｊ１４）の処理が並行して実行される。図１７に示したフローＪは、図１２に示したフローＥ（Ｅ０１〜Ｅ１４）における「送信先情報」，「送信先」が、それぞれ「転送先情報」，「転送先」となり、Ｅ１１の「画像読取り終了したか？」が、「受信終了したか？」となっているだけである。このため、フローＪ（Ｊ０１〜Ｊ１４）の説明は記載の重複を避けるために省略する。
【００７１】
（２−２）の「第１，第２通信制御部２１１，２１３またはＬＡＮユニット２１２によるデータの受信が終了した後」に、転送先への転送を行う場合の動作はつぎのとおりである。まず、送信開始に先だって、前述したフローＦが実行される。Ｆ０４で転送先がシステムメモリ２０３に登録されると、フローＧおよび図１８に示すフローＫ（Ｋ０１〜Ｋ１４）の処理が並行して実行される。フローＫは、図１７に示した「受信終了したか？」が、「送信終了したか？」となっているだけである。このため、フローＨ（Ｋ０１〜Ｋ１４）の説明は記載の重複を避けるために省略する。
【００７２】
次に、本発明の実施形態のさらに他の具体例を図１９により説明する。図１９は、送信制御の開始タイミングをユーザが設定する処理を示すフローチャートである。図１９に示すように、原稿読取り送信時の同報方式の設定が行われる（Ｌ０１）。ここで、「原稿読取り送信時の同報方式」とは、前述した（１−１），（１−２），（１−３）による送信方式のことである。この設定は、システムメモリ２０３に登録される（Ｌ０２）。また、データ転送時の同報方式の設定が行われる（Ｌ０３）。
システムメモリ２０３の所定領域への登録が行われる（Ｌ０３）。ここで、「データ転送時の同報方式の設定」とは、前述した（２−１），（２−１−１），（２−１−２），（２−１−３），（２−２）の転送方式のことである。
【００７３】
上記の各同報方式の設定が行われると、原稿読取り送信か，データ転送による送信かがチェックされ（Ｌ０５）、原稿読取りの場合には、システムメモリ２０３に記憶された原稿読取り送信の設定が呼び出され（Ｌ０６）、所定の送信処理が行われる。Ｌ０５で原稿読取り送信でないと判断された場合には、データ転送による処理か否かがチェックされ（Ｌ０８）、データ転送による送信の場合には、システムメモリ２０３に記憶されたデータ転送の設定が呼び出され（Ｌ０９）、所定の送信処理が行われる（Ｌ１０）。Ｌ０８でデータ転送による送信でないと判断された場合には、処理は終了する。
【００７４】
図２０は本発明のデータ通信装置にかかる他の実施形態の構成を示すブロック図である。図２０において、ファクシミリ装置３は、画像読取り手段３１１と、画像データ蓄積手段３１２と、送信先記憶手段３１３と、局番記憶手段３１４と、料金テーブル用ＲＡＭ３１５と、データ通信手段３１６と、低通信費送信先検索手段３１７と、最先送信先指定手段３１８と、通信制御手段３１９と、送信モード選択手段３２０を含んで構成されている。
【００７５】
本発明では、通信制御手段３１９は、送信先記憶手段３１３に登録された送信先が複数ある場合には、画像読取り手段３１１による読取りが終了した後に、画像データ蓄積手段３１２に蓄積された前記画像データの第２番目以降の送信先への送信を開始することができる。
また料金テーブル用ＲＡＭ３１５は、送信先についての通話料金がデータベースとして保存されており、低通信費送信先検索手段３１７は料金テーブル用ＲＡＭ３１５に記憶されたデータから、最低料金を検索することができる。また、ユーザは送信モード選択手段３２０を介して、どのような送信態様で送信するかを選択することができる。
【００７６】
以下、図２１のフローチャートにより図２０のファクシミリ装置３の動作を説明する。まず、原稿が画像読取り手段３１１にセットされ（Ｓ８０１）、図示しない操作部（テンキーを含む操作パネル等）から、同報送信が行われる送信先の電話番号やネットワークアドレス（送信先情報）Ｎ１〜Ｎｋが入力される（Ｓ８０２）。入力された送信先情報Ｎ１〜Ｎｋは、送信先記憶手段３１３に格納される（Ｓ８０３）。なお、予めグループ登録されている送信情報があるときにはこれらのグループを呼び出すこともできる。
【００７７】
図示しない操作部に設けられたスタートボタンが押され，ユーザからの送信指示があると（Ｓ８０４）、低通信費送信先検索手段３１７が起動される（Ｓ８０５）。低通信費送信先検索手段３１７は、送信先記憶手段３１３の送信先情報を順次読み出し、局番記憶手段３１４を参照して、単位時間あたり最も低料金の送信先を決定する（Ｓ８０６）。この送信先が、第１番目の送信先となる。
この後、原稿の読取りが開始され（Ｓ８０７）、読取られた画像データが画像データ蓄積手段３１２に格納され（Ｓ８０８）、全てのページについて読取りが行われると原稿読取りが終了する（Ｓ８０９）。
【００７８】
Ｓ８０７の原稿読取り開始と並行して、通信制御手段３１９は、第１番目の送信先に送信できる回線に空きがあるか否かをチェックする（Ｓ８１０）。空き回線がない場合には回線が空くまで待機する。空き回線があったときは、データ通信手段３１６が、当該送信先に送信を開始する（Ｓ８１１）。
【００７９】
通信制御手段３１９は、画像読取り手段３１１による原稿読取りの終了を待っている（Ｓ８１２）。通信制御手段３１９は、原稿読取りが終了したとき（Ｓ８０９）は、第２番目の送信先の回線種（電話回線かＬＡＮ回線か）に応じて、回線に空きがあるかをチェックする（Ｓ８１４）。空き回線がない場合には回線が空くまで待機する。空き回線がある場合には、第Ｘ番目の送信先への送信を開始する（Ｓ８１５）。Ｓ８１４に移行する前に、第Ｘ番目の送信先としてＸ＝２がセットされている（Ｓ８１３）。
【００８０】
また、通信制御手段３１９は、送信開始後に、全ての送信先に送信を開始したか否かをチェックする（Ｓ８１６）。すなわち、Ｘと送信先の数ｋとを比較する。まだ、全ての送信先に送信を開始していないときにはＸをインクリメントして（Ｓ８１７）、処理をＳ８１４に戻す。また、全ての送信先に送信を開始したときには、送信の終了を待って処理を終了する（図２１の「ＥＮＤ」参照）。
【００８１】
図２１の例では、第１番目の送信先に送信できる回線に空きがあるかをチェックし（Ｓ８１０）、空きがないときには回線が空くまで待機するようにした。このため、たとえば、第１番目の送信先がフリーダイヤル回線である場合には、電話回線に空きがないときには、ＬＡＮ回線が空いている場合でも待機する。しかし、このような場合には、送信先にメールアドレスの送信先が含まれていれば、当該メールアドレスの送信先を第１番目の送信先として送信することもできる。
【００８２】
すなわち、低通信費送信先検索手段３１７によるＳ８０６の検索に際して異なる回線種（電話回線、ＬＡＮ回線）について同一またはほぼ同一の通信料金にかかる送信先がある場合には（送信先情報に、フリーダイヤルの電話番号と、メールアドレスが含まれている場合）には、検索時に、第１候補をメールアドレスの送信先、第２候補をフリーダイヤルの電話番号の送信先として所定の記憶手段に記憶しておき、第２候補を新たに、第１の送信先とすることができる。具体的には、自己ファクシミリ装置の市外局番に近い市外局番の宛先がある場合には当該番号の送信先を選択し、あるいは外国等、明らかに通信費が高いと判断される送信先については、選択の優先順位を下げることができる。
【００８３】
また、送信先情報に、フリーダイヤルの電話番号と、メールアドレスが含まれている場合において、Ｓ８０７で回線に空きがないと判断した場合には、再度の検索を行い回線種の異なる送信先のうち最も低通信料金の送信先を、新たに第１番目の送信先とすることもできる。
【００８４】
以上述べたＳ８０１〜Ｓ８１７の処理を実行することにより、たとえば複数の送信先先に通信を行っているときに、ストップキー操作により原稿読取りを中止したい場合や、読取り中のエラー（読取り原稿のペーパジャムや画像データ蓄積手段３１２の容量不足）が生じても、エラーが生じるのは最も低料金の一回線のみである。
【００８５】
以下、図２２により、図２０に示した実施形態を詳細に説明する。図２２に示すファクシミリ装置３は、図２０に示したファクシミリ装置３と実質同じである。図２０では、機能的にファクシミリ装置３の構成を示したが、図２２ではより具体的に示してある。
【００８６】
ファクシミリ装置３は、図２２では、スキャナー部４０１と、プロッタ部４０２と、符号化復号化部４０３と、第１通信制御部４０４と、第１モデム４０５と、第１網制御部４０６と、第２通信制御部４０７と、第２モデム４０８と、第２網制御部４０９と、ＬＡＮユニット４１０と、システム制御部４１１と、操作表示部４１２と、画像メモリ４１３と、通信料金計算部４１４とからなる。システム制御部４１１は、ＣＰＵ４１１１と、ＲＯＭ４１１２と、ＲＡＭ４１１３とからなる。
【００８７】
図２０の画像読取り手段３１１が図２２のスキャナー部４０１に対応し、図２０の画像データ蓄積手段３１２が図２２の画像メモリ４１３に対応し、図２０の送信先記憶手段３１３，局番記憶手段３１４がそれぞれ図２２のＲＡＭ４１１３の所定領域に対応する。また、図２０のデータ通信手段３１６が図２２の第１通信制御部４０４，第１モデム４０５，第１網制御部４０６，第２通信制御部４０７，第２モデム４０８，第２網制御部４０９、およびＬＡＮユニット４１０からなる通信装置群に対応する。さらに、図２０の低通信費送信先検索手段３１７，最先送信先指定手段３１８が図２２のシステム制御部４１１の機能に対応し、図２０の通信制御手段３１９が、図２２のシステム制御部４１１に対応する。なお、図２２では、ＬＡＮ回線の使用について、時間あたりの課金はないものとする。
【００８８】
まず、送信開始に先だって、図２３に示すフローＭの処理（Ｍ０１〜Ｍ０４）が実行される。スキャナー部４０１に原稿がセットされ、操作表示部４１２から複数の送信先情報Ｎ１〜Ｎｋが入力されると（Ｍ０１）、入力された送信先情報は、順次ＲＡＭ４１１３の所定の記憶領域に記憶される（Ｍ０２，Ｍ０３）。
そして、操作表示部４１２の送信開始ボタンが押されると（Ｍ０４）、第１番目の送信先を決定するフローＮ（Ｎ０１〜Ｎ０８）による処理が実行される。
【００８９】
フローＮでは、ＲＡＭ４１１３に記憶された送信先情報が複数であるか否かがチェックされ（Ｎ０１）、複数でないとき（１つであるとき）は後述するフローＯに処理が渡される。Ｎ０１で、送信先情報が複数であると判断されたときは、送信先情報Ｎ１〜Ｎｋに、内線番号，フリーダイヤル番号（公衆電話番号）、ＬＡＮ回線アドレス（メールアドレス）等の時間課金の対象とならない回線（非課金対象回線）にかかる送信先が含まれるか否かがチェックされる（Ｎ０２）。
【００９０】
送信先情報Ｎ１〜Ｎｋの何れかに、上記の番号やアドレスが含まれるときは、その送信先情報が第１番目の送信先とされ（Ｎ０３）、フローＰに処理が渡される。Ｎ０２において、送信先情報Ｎ１〜Ｎｋに非課金回線にかかる送信先が含まれていないときは、送信先情報Ｎ１〜Ｎｋの何れかにファクシミリ装置３が保有する電話回線の局番（ここでは、「市内局番」と言う）と同一の局番を持つ電話番号があるか否かがチェックされる（Ｎ０４）。送信先情報Ｎ１〜Ｎｋに、上記の局番を持つ電話番号が含まれるときはその送信先情報が第１番目の送信先とされ（Ｎ０５）、フローＰに処理が渡される。Ｎ０４において、市内局番を持つ電話番号がないときは、送信先情報Ｎ１〜Ｎｋに国内電話回線の局番が含まれるか否かがチェックされる（Ｎ０６）。送信先情報Ｎ１〜Ｎｋに、上記の局番を持つ電話番号が含まれるときは、その送信先情報が第１番目の送信先とされ（Ｎ０７）、フローＯに処理が渡される。Ｎ０５において、送信先情報Ｎ１〜Ｎｋに国内電話回線の局番が含まれていないときは、第１番目の送信先を任意に決定し（Ｎ０８）処理はフローＰに渡される。
【００９１】
フローＯ（Ｏ０１〜Ｏ０４）では、図２４に示すように、まずスキャナー部４０１にセットされた原稿の読取りが行われる（Ｏ０１）。この読み取られたデータは圧縮され画像メモリ４１３に蓄積される（Ｏ０２）。画像メモリ４１３への画像データの蓄積は、スキャナー部４０１にセットされた原稿の全てのページについて行われる（Ｏ０３，Ｏ０４）。
【００９２】
一方、フローＰ（Ｐ０１〜Ｐ１４）では、図２５に示すようにまず、フローＯで決定された第１番目の送信先について、回線種チェック（電話番号かメールアドレスかの判断）を行う（Ｐ０１）。つぎに、システム制御部４１１は、送信先情報が電話番号か否かをチェックし（Ｐ０２）、電話番号であるとき（ファクシミリ送信のとき）は、第１網制御部４０６の回線（「第１回線」と言う）が空いているかをチェックする（Ｐ０３）。空いていないときは、第２網制御部４０９の回線（「第２回線」と言う）が空いているかをチェックする（Ｐ０４）。システム制御部４１１は、Ｐ０２において、電話回線による送信（ファクシミリ送信）でないと判断したときは、ＬＡＮユニット４１０の回線が空いているか否かをチェックする（Ｐ０５）。システム制御部４１１は、Ｐ０３〜Ｐ０５において、回線が空いていると判断したときは、送信先情報をＲＡＭ４１１３から読み出す（Ｐ０６）。そして、読み出した送信先が、第１番目の送信先であるか否かをチェックし（Ｐ０７）、第１番目の送信先であるときには、当該送信先に接続し（Ｐ０８）、画像データを画像メモリ４１３から読み出し送信先に送信する（Ｐ０９）。そして、スキャナー部４０１による原稿の読取りが終了するのを待ち（Ｐ１０）、送信が終了したときは処理をＰ０１に戻す。
【００９３】
一方、システム制御部４１１は、Ｐ０７において、ＲＡＭ４１１３から読み出した送信先が、第１番目の送信先でないと判断したときは、当該送信先に接続し（Ｐ１１）、画像データを画像メモリ４１３から読み出し、送信先に送信開始する（Ｐ１２）。そして、すでに全ての送信先に送信開始をしたか否かをチェックし（Ｐ１３）、全ての送信先に送信を開始していない場合にはＰ０１に処理を戻し、全ての送信先に送信を開始しているときには、全送信先への送信終了を待って（Ｐ１４）処理を終了する（図２６の「ＥＮＤ」参照）。
【００９４】
【発明の効果】
本発明では、複数同時に送信又は転送を開始する場合も１番目の送信先又は転送先は、原稿画像の読み取り開始タイミング又は転送データの受信タイミングで、通信費が低額の送信先又は転送先から開始するようにしたので、ペーパジャム等の通信不能が発生した場合も通信料金の損失を最小限に抑えることができる。
【図面の簡単な説明】
【図１】本発明で使用される、データ通信装置の構成を示すブロック図である。
【図２】本発明の実施形態において、（１−１）の「第１番目の送信先への画像データの送信と同時、または当該送信が終了する前」のタイミングで送信を行う場合の動作説明図である。
【図３】本発明の実施形態において、（１−２）の「第１番目の送信先への画像データの送信が終了した後」のタイミングで送信を行う場合の動作説明図である。
【図４】本発明の実施形態において、（１−３）の「画像読取り手段による読取りが終了した後」のタイミングで送信を行う場合の動作説明図である。
【図５】本発明の実施形態において、（２−１−１）の「第１番目の転送先への画像データの送信と同時、または当該送信が終了する前」のタイミングで送信を行う」場合の動作説明図である。
【図６】本発明の実施形態において、（２−１−２）の「第１番目の転送先への画像データの送信が終了した後」のタイミングのタイミングで送信を行う」場合の動作説明図である。
【図７】本発明の実施形態において、（２−１−３）の「データ通信手段による受信が終了した後」のタイミングのタイミングで送信を行う場合の動作説明図である。
【図８】本発明の実施形態において、（２−２）の「データ通信手段によるデータの受信が終了した後、受信したデータの複数の転送先への転送制御を開始」する処理を行う場合の動作説明図である。
【図９】図１に示したファクシミリ装置をより具体的に示す図である。
【図１０】画像読取りに先だって行われるフローＡおよび、画像読取りのフローＢの処理を示す図である。
【図１１】本発明の実施形態をより具体的に示す、（１−１）の「第１番目の送信先への画像データの送信と同時または当該送信が終了する前」の部分フローＣの処理を示す図である。
【図１２】本発明の実施形態をより具体的に示す、（１−２）の「第１番目の送信先への画像データの送信が終了した後」の部分フローＤの処理を示す図である。
【図１３】本発明の実施形態をより具体的に示す、（１−３）の「画像読取り手段による読取りが終了した後」の部分フローＥの処理を示す図である。
【図１４】転送先への送信に先だって行われるフローＦおよび、画像読取りのフローＧの処理を示す図である。
【図１５】本発明の実施形態をより具体的に示す、（２−１−１）の「第１番目の転送先への画像データの送信と同時、または当該送信が終了する前」のタイミングで送信を行う」の部分フローＨの処理を示す図である。
【図１６】本発明の実施形態をより具体的に示す、（２−１−２）の「第１番目の転送先への画像データの送信が終了した後」の部分フローＩの処理を示す図である。
【図１７】本発明の実施形態をより具体的に示す、（２−１−３）の「データ通信手段による受信が終了した後」の部分フローＪの処理を示す図である。
【図１８】本発明の実施形態をより具体的に示す、（２−２）の「データ通信手段によるデータの受信が終了した後、受信したデータの複数の転送先への転送制御を開始」する場合の部分フローＫの処理を示す図である。
【図１９】本発明の実施形態の他の例を示すフローチャートである。
【図２０】本発明の他の実施形態の構成を示すブロック図である。
【図２１】図２０のファクシミリ装置の動作を示すフローチャートである。
【図２２】本発明の他の実施形態を詳細に説明するブロック図である。
【図２３】送信に先だって実行されるフローＭの処理を示す図である。
【図２４】原稿読込みのフローＮの処理を示す図である。
【図２５】低通信費送信先検の処理を示すフローチャートである。
【図２６】同報送信の処理を示すフローチャートである。
【符号の説明】
１，３  ファクシミリ装置
１１１，３１１  画像読取り手段
１１２，３１２  画像データ蓄積手段
１１３，３１３  送信先記憶手段
１１４  転送先記憶手段
１１５，３１６  データ通信手段
１１６，３１９  通信制御手段
１１７，３２０  送信モード選択手段
２０１  画像データ圧縮再生部
２０２  画像データメモリ
２０３  システムメモリ
２０４  ユーザインタフェース
２０５  システム制御部
２０６  データ転送用メモリ
２０７  パターンジェネレータ
２０８  画像読取り部
２０９  記録印字部
２１０  リアルタイムクロック
２１１，４０４  第１通信制御部
２１２  網制御部
２１３，４０７  第２通信制御部
２１４，４１０  ＬＡＮユニット
３１４  局番記憶手段
３１５  料金テーブル用ＲＡＭ
３１７  低通信費送信先検索手段
３１８  最先送信先指定手段
４０１  スキャナー部
４０２  プロッタ部
４０３  符号化復号化部
４０５  第１モデム
４０６  第１網制御部
４０８  第２モデム
４０９  第２網制御部
４１１  システム制御部
４１２  操作表示部
４１３  画像メモリ
４１４  通信料金計算部
２０４１  操作部
２０４２  表示部
２０８１  原稿画像搬送装置
２０９１  給紙装置
２１１１，２１３１  モデム
４１１１  ＣＰＵ
４１１２  ＲＯＭ
４１１３  ＲＡＭ
【図１】
0004020191.tif 000002
【図２】
0004020191.tif 000003
【図３】
0004020191.tif 000004
【図４】
0004020191.tif 000005
【図５】
0004020191.tif 000006
【図６】
0004020191.tif 000007
【図７】
0004020191.tif 000008
【図８】
0004020191.tif 000009
【図９】
0004020191.tif 000010
【図１０】
0004020191.tif 000011
【図１１】
0004020191.tif 000012
【図１２】
0004020191.tif 000013
【図１３】
0004020191.tif 000014
【図１４】
0004020191.tif 000015
【図１５】
0004020191.tif 000016
【図１６】
0004020191.tif 000017
【図１７】
0004020191.tif 000018
【図１８】
0004020191.tif 000019
【図１９】
0004020191.tif 000020
【図２０】
0004020191.tif 000021
【図２１】
0004020191.tif 000022
【図２２】
0004020191.tif 000023
【図２３】
0004020191.tif 000024
【図２４】
0004020191.tif 000025
【図２５】
0004020191.tif 000026
【図２６】
0004020191.tif 000027